(57)【要約】      （修正有）【課題】簡単な構造で、部品点数が少なく、低コスト化を図ることができるロール紙収納構造を提供する。【解決手段】機器本体１内に紙幅の異なる複数のロール紙のいずれかを選択的に収納するロール紙収納構造において、第１の紙幅を有する第１ロール紙をその紙幅に応じて収納する第１収納部２０と、この第１の紙幅よりも小さい第２の紙幅を有する第２ロール紙をその紙幅に応じて収納する第２収納部２１と、前記第１収納部の底部に前記第２収納部の底部を一段低く設け、投入された第１、第２の各ロール紙をその紙幅に応じて第１、第２の収納部２０、２１のいずれかに誘導するロール紙誘導部２２とを備えている。従って、ロール紙誘導部２２によって第１ロール紙をその紙幅に応じて第１収納部２０内に誘導して良好に収納でき、また第２ロール紙をその紙幅に応じて第２収納部２１内に誘導して良好に収納することができる。【選択図】図８
2013010619.tif 000002
【特許請求の範囲】
【請求項１】
機器本体内に紙幅の異なる複数のロール紙のいずれかを選択的に収納するロール紙収納構造において、
第１の紙幅を有する第１ロール紙をその紙幅に応じて収納する第１収納部と、
前記第１の紙幅よりも小さい第２の紙幅を有する第２ロール紙をその紙幅に応じて収納する第２収納部と、
前記第１収納部の底部に前記第２収納部の底部を一段低く設けることにより、投入された前記第１、第２の各ロール紙をその紙幅に応じて前記第１、第２の収納部のいずれかに誘導するロール紙誘導部と、
を備えていることを特徴とするロール紙収納構造。
【請求項２】
請求項１に記載のロール紙収納構造において、前記ロール紙誘導部は、前記第１収納部内に設けられて前記第１ロール紙の両側面を位置規制する両側の側壁部と、前記第２収納部内に設けられて前記第２ロール紙の両側面の下部を位置規制する両側の側壁部とを備えていることを特徴とするロール紙収納構造。
【請求項３】
請求項１または請求項２に記載のロール紙収納構造において、前記第１収納部の前記底部と前記第２収納部の前記底部とは、ほぼ円弧状に湾曲した凹曲面形状に形成されていることを特徴とするロール紙収納構造。
【請求項４】
請求項１〜請求項３のいずれかに記載のロール紙収納構造において、前記第１収納部の前記底部における最も低い箇所と、前記第２収納部の前記底部における最も低い箇所とは、紙送り出し方向に沿って位置がずれた状態で設けられていることを特徴とするロール紙収納構造。
【請求項５】
請求項１〜請求項４のいずれかに記載のロール紙収納構造において、前記第１収納部の前記底部には、前記第１ロール紙をその紙送り出し方向に回転させるための第１回転ローラが回転自在に設けられており、前記第２収納部の前記底部には、前記第２ロール紙をその紙送り出し方向に回転させるための第２回転ローラが回転自在に設けられていることを特徴とするロール紙収納構造。
【発明の詳細な説明】
【技術分野】
【０００１】
この発明は、電子レジスタや携帯情報端末機、コピー機などのプリンタを備えた電子機器に用いられるロール紙収納構造に関する。
【背景技術】
【０００２】
例えば、プリンタを備えた携帯情報端末機のロール紙収納構造においては、特許文献１に記載されているように、紙幅の異なる２種類のロール紙のいずれかを選択してそれぞれ所定位置に収納するために、紙幅の広いロール紙を位置規制するロール紙収納部内に位置決め部材を設け、この位置決め部材によって紙幅の狭いロール紙を選択して所定位置に収納するように構成したものが知られている。
【先行技術文献】
【特許文献】
【０００３】
【特許文献１】特開昭６２−８３９５３号公報
【０００４】
このようなロール紙収納構造におけるロール紙収納部は、紙幅の広いロール紙の両側面を位置規制する幅に形成されている。また、このロール紙収納部内に設けられた位置決め部材は、紙幅の狭いロール紙の両側面を位置規制する一対の板ばね部を有し、この一対の板ばね部がロール紙収納部内に傾斜して配置され、この状態で一対の板ばね部が紙幅の広いロール紙によって弾力的に押し下げられるように構成されている。
【０００５】
これにより、このロール紙収納構造では、ロール紙収納部内に紙幅の広いロール紙を収納すると、紙幅の広いロール紙が位置決め部材の一対の板ばね部を押し下げてロール紙収納部内に収納され、また紙幅の狭いロール紙を収納すると、この紙幅の狭いロール紙の両側面が位置決め部材の一対の板ばね部によって位置規制されてロール紙収納部内の所定位置に収納される。
【発明の概要】
【発明が解決しようとする課題】
【０００６】
しかしながら、このようなロール紙収納構造では、紙幅の異なる２種類のロール紙のうち、紙幅の狭いロール紙をロール紙収納部内の所定位置に規制するための位置決め部材が必要であるほか、この位置決め部材をロール紙収納部内の所定位置に配置して取り付ける必要がある。このため、このロール紙収納構造では、構造が煩雑で、部品点数が多く、組立作業が煩雑で面倒であり、製作コストが高くなるという問題がある。
【０００７】
この発明が解決しようとする課題は、簡単な構造で、部品点数が少なく、低コスト化を図ることができるロール紙収納構造を提供することである。
【課題を解決するための手段】
【０００８】
この発明は、機器本体内に紙幅の異なる複数のロール紙のいずれかを選択的に収納するロール紙収納構造において、第１の紙幅を有する第１ロール紙をその紙幅に応じて収納する第１収納部と、前記第１の紙幅よりも小さい第２の紙幅を有する第２ロール紙をその紙幅に応じて収納する第２収納部と、前記第１収納部の底部に前記第２収納部の底部を一段低く設けることにより、投入された前記第１、第２の各ロール紙をその紙幅に応じて前記第１、第２の収納部のいずれかに誘導するロール紙誘導部と、を備えていることを特徴とするロール紙収納構造である。
【発明の効果】
【０００９】
この発明によれば、第１ロール紙を収納する際に、ロール紙誘導部によって第１ロール紙をその紙幅に応じて第１収納部内に誘導して良好に収納することができ、また第２ロール紙を収納する際に、ロール紙誘導部によって第２ロール紙をその紙幅に応じて第２収納部内に誘導して良好に収納することができる。
【図面の簡単な説明】
【００１０】
【図１】この発明を電子レジスタに適用した一実施形態を示した斜視図である。
【図２】図１に示された電子レジスタを背面側から見た斜視図である。
【図３】図１に示された電子レジスタの平面図である。
【図４】図１に示された電子レジスタの正面図である。
【図５】図１に示された電子レジスタを右側から見た側面を示し、（ａ）は機器本体上に入力表示ユニットを緩やかに傾斜させて配置した状態を示した側面図、（ｂ）は機器本体上に入力表示ユニットを後部上がりに起立させた状態を示した側面図である。
【図６】図１に示された電子レジスタを左側から見た側面を示し、（ａ）は機器本体の表示収納部内に回転表示器を収納した状態を示した側面図、（ｂ）は機器本体の上方に回転表示器を引き上げた状態を示した側面図である。
【図７】図１に示された電子レジスタにおいて、入力表示ユニットを取り外し、且つプリンタカバーの一部を破断してその内部のロール紙収納部を示した要部の斜視図である。
【図８】図７に示されたロール紙収納部を更に拡大して示した斜視図である。
【図９】図８に示されたロール紙収納部のＡ−Ａ矢視における拡大断面図である。
【図１０】図９に示されたロール紙収納部の第１収納部内に紙幅の広い第１ロール紙を収納した状態を示した拡大断面図である。
【図１１】図９に示されたロール紙収納部の第２収納部内に紙幅の狭い第２ロール紙を収納した状態を示した拡大断面図である。
【発明を実施するための形態】
【００１１】
以下、図１〜図１１を参照して、この発明を電子レジスタに適用した一実施形態について説明する。
この電子レジスタは、図１および図２に示すように、機器本体１を備えている。この機器本体１には、入力表示ユニット２、プリンタユニット３、および回転表示器４が搭載されている。
【００１２】
入力表示ユニット２は、図１〜図５に示すように、ユニットケース５の上面にタッチ入力部６を設けたものであり、顧客が購入する商品の情報をオペレータがタッチ入力部６のタッチ操作によって入力するように構成されている。この場合、タッチ入力部６は、図示しないが、表示パネルの上面に透明なタッチパネルを配置した構成になっている。
【００１３】
このタッチ入力部６は、表示パネルに表示された情報を見ながらタッチパネルをタッチ操作して、売買する商品の情報を入力すると共に、その入力された情報が表示パネルに表示されるように構成されている。この場合、ユニットケース５は、図１〜図５に示すように、機器本体１の一部分（図３では左側の部分）を除いた箇所の機器本体１上に、前下がりに傾斜した状態で配置されている。
【００１４】
すなわち、機器本体１上には、図５および図７に示すように、円弧状の支持凹部７が前面から上面に亘って設けられており、ユニットケース５の下面には、半円筒状の回転凸部８が設けられている。これにより、ユニットケース５は、その下面の半円筒状の回転凸部８が機器本体１上の円弧状の支持凹部７上に配置された状態で、この支持凹部７上を前後方向に向けて回転移動することにより、後部（図５（ｂ）では右側）が競り上がって傾斜するように構成されている。
【００１５】
回転表示器４は、図１〜図４に示すように、オペレータが入力した情報を表示し、この表示した情報を顧客が見えるようにするためのものであり、表示ケース１０に情報を表示する表示パネル１１を設け、この表示ケース１０を支持機構１２によって機器本体１に対して上下方向に伸縮移動可能に支持するように構成されている。この場合、表示ケース１０は、図２に示すように、横長の長方形の箱状に形成されている。
【００１６】
また、表示パネル１１は、液晶表示素子やＥＬ（エレクトロ・ルミネッセンス）表示素子などの平面型の表示素子からなり、表示ケース１０の背面側に位置する側面に横長状態で配置され、オペレータが入力した情報などの電子レジスタに必要な各種の情報を電気光学的に表示するように構成されている。この回転表示器４は、図１〜図４、および図６に示すように、機器本体１の背面に設けられた表示収納部９内に出没可能に収納されるように構成されている。
【００１７】
一方、プリンタユニット３は、図１〜図９に示すように、機器本体１上に開閉可能に配置されたプリンタカバー１３と、このプリンタカバー１３の下側に位置する機器本体１の内部に設けられたプリンタ部１４と、このプリンタ部１４の近傍に位置する機器本体１内に設けられたロール紙収納部１５とを備え、機器本体１における入力表示ユニット２の左隣に配置されている。
【００１８】
プリンタカバー１３は、図１〜図４に示すように、入力表示ユニット２の上面とほぼ同じ高さで、且つ前下がりに傾斜した状態で、機器本体１上に配置されている。プリンタ部１４は、図９に示すように、印字部１４ａとプラテン部１４ｂとを備え、これらの間に送り込まれた後述するロール紙１６、１７のいずれかに印刷情報を印刷して送り出するように構成されている。
【００１９】
この場合、プリンタ部１４は、図９〜図１１に示すように、ロール紙１６、１７のいずれかに印刷情報を印刷すると、この印刷したロール紙１６、１７をプリンタカバー１３に設けられた記録紙排出口１３ａから機器本体１の外部に排出するように構成されている。また、プリンタカバー１３の記録紙排出口１３ａの下側には、防滴シャッタ１８が上下方向に回転可能に設けられている。
【００２０】
この防滴シャッタ１８は、図９に示すように、シャッタ板１８ａと支持軸１８ｂとを備え、この支持軸１８ｂによってシャッタ板１８ａを上下方向に回転自在に支持するように構成されている。すなわち、この防滴シャッタ１８は、図９に示すように、シャッタ板１８ａを支持軸１８ｂで回転自在に支持する際に、シャッタ板１８ａがその重量バランスで記録紙排出口１３ａを閉じる方向に向けて回転するように構成されている。
【００２１】
また、この防滴シャッタ１８は、図９に示すように、プリンタ部１４によってロール紙１６、１７のいずれかに印刷情報が印刷された際に、その印刷されたいずれかのロール紙１６、１７の排出力によってシャッタ板１８ａが支持軸１８ｂを中心に回転して、印刷されたロール紙１６、１７を記録紙排出口１３ａに向けて送り出すように構成されている。
【００２２】
ところで、ロール紙収納部１５は、図７〜図１１に示すように、紙幅の異なる複数のロール紙１６、１７を選択的に収納するように構成されている。すなわち、このロール紙収納部１５は、第１の紙幅を有する第１ロール紙１６をその紙幅に応じて収納する第１収納部２０と、第１の紙幅よりも小さい第２の紙幅を有する第２ロール紙１７をその紙幅に応じて収納する第２収納部２１と、ロール紙収納部１５に投入された第１、第２の各ロール紙１６、１７をその紙幅に応じて第１、第２の収納部２０、２１のいずれかに誘導するロール紙誘導部２２とを備えている。
【００２３】
この場合、第１収納部２０は、図７〜図９に示すように、上方に開放された凹部であり、その底部２０ａが機器本体１の前後方向（図９では左右方向）に沿ってほぼ円弧状に湾曲した凹曲面形状に形成されている。この第１収納部２０は、凹曲面形状の底部２０ａの両側、つまり第１ロール紙１６の両側面に対応する両側の各側壁部２０ｂ間の長さＳ１が第１ロール紙１６の紙幅とほぼ同じ長さで形成されている。
【００２４】
これにより、第１収納部２０は、図１０に示すように、その内部に第１ロール紙１６が上方から挿入されると、この第１ロール紙１６が第１収納部２０におけるほぼ円弧状に湾曲した凹曲面形状に形成された底部２０ａ上を転動して、この底部２０ａの最も低い箇所に第１ロール紙１６が自然に配置されるように構成されている。
【００２５】
また、第２収納部２１は、図７〜図１０に示すように、第１収納部２０の底部２０ａよりも一段低く窪んだ状態で設けられた凹部である。この第２収納部２１は、図７〜図９に示すように、その底部２１ａが、第１収納部２０と同様、機器本体１の前後方向（図９では左右方向）に沿って、第１収納部２０の底部２０ａと同じほぼ円弧状に湾曲した凹曲面形状に形成されている。
【００２６】
この場合、第２収納部２１は、図９に示すように、その底部２１ａが第１収納部２０の底部２０ａよりも一段低いほぼ円弧状に湾曲した凹曲面形状に形成されていることにより、この凹曲面形状の底部２１ａの両側、つまり第２ロール紙１７の両側面に対応する両側の各側壁部２１ｂ間の長さＳ２が、第２ロール紙１７の紙幅とほぼ同じ長さＳ２で形成されている。
【００２７】
これにより、第２収納部２１は、図１１に示すように、その内部に第２ロール紙１７が上方から挿入されると、この第２ロール紙１７が第２収納部２１におけるほぼ円弧状に湾曲した凹曲面形状に形成された底部２１ａ上を転動して、この底部２１ａの最も低い箇所に第２ロール紙１７が自然に配置されるように構成されている。
【００２８】
また、この第２収納部２１は、図９〜図１１に示すように、その底部２１ａの最も低い箇所が、第１収納部２０の底部２０ａにおける最も低い箇所よりも、紙送り出し方向（図９では右側）、つまり機器本体１内のプリンタ部１４が位置する方向にずれた状態で設けられている。これにより、第２ロール紙１７は、第２収納部２１内に収納された際に、その回転中心が第１収納部２０に収納された第１ロール紙１６の回転中心よりも、紙送り出し方向にずれて配置される。
【００２９】
この場合、第２収納部２１は、図７〜図１１に示すように、第１収納部２０の底部２０ａに、その側壁部２０ｂ間の長さＳ１よりも短い長さＳ２、つまり第２ロール紙１７の紙幅とほぼ同じ長さＳ２で設けられている。これにより、第２収納部２１は、その内部に第２ロール紙１７が収納されると、第２ロール紙１７の紙幅方向の中心が第１ロール紙１６の紙幅方向の中心と一致するように構成されている。
【００３０】
このように、このロール紙収納部１５のロール紙誘導部２２は、図７〜図１１に示すように、第１収納部２０の底部２０ａに第２収納部２１の底部２１ａを一段低く設けることにより、ロール紙収納部１５内に投入された第１、第２の各ロール紙１６、１７をその紙幅に応じて第１、第２の各収納部２０、２１のいずれかに誘導するように構成されている。
【００３１】
すなわち、このロール紙誘導部２２は、図７〜図１１に示すように、第１収納部２０内に設けられて第１ロール紙１６の両側面を位置規制しながらガイドする両側の側壁部２０ｂと、第２収納部２１内に設けられて第２ロール紙１７の両側面の下部を位置規制しながらガイドする両側の側壁部２１ｂとで構成されている。
【００３２】
これにより、このロール紙誘導部２２は、図７〜図１１に示すように、ロール紙収納部１５内に投入された第１、第２の各ロール紙１６、１７をその紙幅に応じて、第１、第２の収納部２０、２１における両側の各側壁部２０ｂ、２１ｂによって、第１、第２の収納部２０、２１のいずれかに誘導するように構成されている。
【００３３】
一方、この第１、第２の各収納部２０、２１内には、図７〜図９に示すように、それぞれ第１、第２の各回転ローラ２３、２４が設けられている。すなわち、第１回転ローラ２３は、第１ロール紙１６をその紙送り出し方向に回転させるためのものであり、第１収納部２０の底部２０ａにおける最も低い箇所付近、つまり第１収納部２０に収納された第１ロール紙１６の回転中心よりも少し後方（図９では左側）に位置する箇所に回転自在に配置されている。
【００３４】
これにより、第１ロール紙１６は、図１０に示すように、第１収納部２０内に配置された状態で、プリンタ部１４に順次引き出されて印刷情報が印刷される際に、第１回転ローラ２３上で且つこの第１回転ローラ２３と共に回転しながら、プリンタ部１４に向けて順次送り出されるように構成されている。
【００３５】
また、第２回転ローラ２４は、図７〜図９に示すように、第２ロール紙１７をその紙送り出し方向に回転させるためのものであり、第２収納部２１の底部２１ａにおける最も低い箇所付近、つまり第１収納部２０に収納された第２ロール紙１７の回転中心よりも後方（図９では左側）に位置する箇所に回転自在に配置されている。
【００３６】
これにより、第２ロール紙１７は、図１１に示すように、第２収納部２１内に配置された状態で、プリンタ部１４に順次引き出されて印刷される際に、第２回転ローラ２４上で且つこの第２回転ローラ２４と共に回転しながら、プリンタ部１４に向けて順次送り出されるように構成されている。
【００３７】
次に、このような電子レジスタの作用について説明する。
この電子レジスタでは、オペレータが入力表示ユニット２のタッチ入力部６を操作して、顧客が購入する商品の値段や商品名などの情報を入力すると、その入力された情報がタッチ入力部６および回転表示器４の表示部１１に表示される。これにより、オペレータは入力表示ユニット２のタッチ入力部６に表示された情報を見て、入力した情報を確認することができると共に、顧客は回転表示器４の表示部１１に表示された情報を見て、入力された情報を確認することができる。
【００３８】
このように表示された情報をプリンタ部１４で第１、第２の各ロール紙１６、１７のいずれかに印刷して、レシートとして発行する。このときには、オペレータがタッチ入力部６をタッチ操作してプリンタ部１４を動作させる。例えば、機器本体１のプリンタユニット３におけるロール紙収納部１５の第１収納部２０内に第１ロール紙１６が収納されている場合には、この第１ロール紙１６がプリンタ部１４の印字部１４ａとプラテン部１４ｂとの間に順次送り込まれ、この送り込まれた第１ロール紙１６に印刷情報がプリンタ部１４によって順次印刷される。
【００３９】
このようにプリンタ部１４で印刷情報が印刷された第１ロール紙１６は、プリンタ１４の上方に順次送り出される。この送り出された第１ロール紙１６は、その排出力によって防滴シャッタ１８を押し上げるので、防滴シャッタ１８のシャッタ板１８ａが支持軸１８ｂを中心に時計回りに回転する。このときには、シャッタ板１８ａが微妙な重量バランスで支持軸１８ｂによって回転可能に支持されていることにより、第１ロール紙１６の排出力によってシャッタ板１８ａが回転する。
【００４０】
これにより、防滴シャッタ１８のシャッタ板１８ａが支持軸１８ｂを中心に時計回りに回転して、第１ロール紙１６が防滴シャッタ１８を通り抜け、この通り抜けた第１ロール紙１６がプリンタカバー１３の記録紙排出口１３ａからプリンタカバー１３の上方に排出される。この排出された第１ロール紙１６は、レシートとして発行される。
【００４１】
この場合、ロール紙収納部１５の第２収納部２１内に第２ロール紙１７が収納されていれば、第１ロール紙１６と同様、第２ロール紙１７がプリンタ部１４に順次引き出され、この引き出された第２ロール紙１７にプリンタ部１４が印刷情報を順次印刷し、この印刷された第２ロール紙１７が防滴シャッタ１８を通り抜けてプリンタカバー１３の記録紙排出口１３ａから排出され、レシートとして発行される。
【００４２】
次に、このようなロール紙収納部１５内に第１、第２のロール紙１６、１７のいずれかを収納する場合について説明する。
まず、第１ロール紙１６を収納する場合には、ロール紙収納部１５の第１収納部２０内に第１ロール紙１６を上方から挿入する。すると、図１０に示すように、この第１ロール紙１６の両側面が第１収納部２０の両側の側壁部２０ｂによって位置規制されながら、第１ロール紙１６が、第１収納部２０内にほぼ円弧状に湾曲した凹曲面形状に形成された底部２０ａ上を転動して、この凹曲面形状の底部２０ａの最も低い位置に自然に配置される。
【００４３】
この状態では、図１０に示すように、第１ロール紙１６が、第１収納部２０内の底部２０ａに設けられた第１回転ローラ２３上に回転可能に配置される。これにより、この第１ロール紙１６にプリンタ部１４によって印刷情報が印刷される際には、第１ロール紙１６が第１回転ローラ２３上をこの第１回転ローラ２３と共に回転しながら、順次、円滑に送り出される。
【００４４】
すなわち、第１ロール紙１６は、第１収納部２０内に収納された状態で、第１ロール紙１６の先端部がプリンタ部１４における印字部１４ａとプラテン部１４ｂとの間に送り込まれて印刷情報が順次印刷される。このときには、第１ロール紙１６がプリンタ部１４による印刷に応じて順次引き出されることにより、第１ロール紙１６が第１回転ローラ２３上をこの第１回転ローラ２３と共に回転するので、第１ロール紙１６がプリンタ部１４に円滑に且つ良好に送り込まれる。
【００４５】
また、第２ロール紙１７を収納する場合には、ロール紙収納部１５の第１収納部２０内の底部２０ａに一段低く設けられた第２収納部２１内に狙いを定めて、第２ロール紙１７を上方から挿入する。すると、図１１に示すように、第２ロール紙１７の両側面が第２収納部２１の両側の側壁部２１ｂによって位置規制されながら、第２ロール紙１７が第２収納部２１内にほぼ円弧状の凹曲面形状に形成された底部２１ａ上を転動して、この凹曲面形状の底部２１ａの最も低い位置に自然に配置される。
【００４６】
この場合、第２ロール紙１７を第２収納部２１内に挿入する際に、第２ロール紙１７が第２収納部２１内から少しずれていても、第２ロール紙１７が第２収納部２１の底部２１ａと第１収納部２０の底部２０ａとの両方に跨った状態で、各底部２０ａ、２１ａ上を転動することにより、自然に第２収納部２１内に挿入する。
【００４７】
すなわち、第２ロール紙１７が第２収納部２１の底部２１ａと第１収納部２０の底部２０ａとの両方に跨った状態で、各底部２０ａ、２１ａ上を転動する際には、第１収納部２０の底部２０ａにおける最も低い位置と、第２収納部２１の底部２１ａにおける最も低い位置とが、前後にずれていているため、第２ロール紙１７が転動しながら自然に第２収納部２１内に挿入する。これにより、第２ロール紙１７の両側面が第２収納部２１の両側の側壁部２１ｂによって位置規制されて、第２収納部２１内の底部２１ａの最も低い位置に自然に配置される。
【００４８】
この状態では、図１１に示すように、第２ロール紙１７が第２収納部２１内の底部２１ａに設けられた第２回転ローラ２４上に回転可能に配置される。これにより、この第２ロール紙１７にプリンタ部１４によって印刷情報が印刷される際には、第１ロール紙１６と同様、第２ロール紙１７が第２回転ローラ２４上をこの第２回転ローラ２４と共に回転しながら、順次、円滑に送り出される。
【００４９】
すなわち、第２ロール紙１７は、第２収納部２１内に収納された状態で、第２ロール紙１７の先端部がプリンタ部１４における印字部１４ａとプラテン部１４ｂとの間に送り込まれて印刷情報が順次印刷される。このときには、第２ロール紙１７がプリンタ部１４による印刷に応じて順次引き出されることにより、第２ロール紙１７が第２回転ローラ２４上をこの第２回転ローラ２４と共に回転するので、第２ロール紙１７がプリンタ部１４に円滑に且つ良好に送り込まれる。
【００５０】
このように、この電子レジスタのロール紙収納構造によれば、第１の紙幅を有する第１ロール紙１６をその紙幅に応じて収納する第１収納部２０と、この第１の紙幅よりも小さい第２の紙幅を有する第２ロール紙１７をその紙幅に応じて収納する第２収納部２１と、第１収納部２０の底部２０ａに第２収納部２１の底部２１ａを一段低く設けることにより、ロール紙収納部１５内に投入された第１、第２の各ロール紙１６、１７をその紙幅に応じて第１、第２の収納部２０、２１のいずれかに誘導するロール紙誘導部２２とを備えていることにより、簡単な構造で、部品点数が少なく、低コスト化を図ることができる。
【００５１】
すなわち、このロール紙収納構造によれば、第１ロール紙１６を収納する際に、ロール紙誘導部２２によって第１ロール紙１６をその紙幅に応じて第１収納部２０内に良好に誘導して収納することができ、また第２ロール紙１７を収納する際にも、ロール紙誘導部２２によって第２ロール紙１７をその紙幅に応じて第２収納部２１内に良好に誘導して収納することができる。
【００５２】
このため、特別な操作を必要とせずに、第１、第２の各ロール紙１６、１７のいずれかをロール紙収納部１５内に投入するだけの簡単な操作で、第１、第２の各ロール紙１６、１７をそれぞれ個別に対応する第１、第２の各収納部２０、２１内に簡単に且つ良好に収納することができるほか、構造が単純で、別部品としての追加部品がなく、部品点数が少なく、組立作業の簡素化を図り、低コスト化を図ることができる。
【００５３】
この場合、ロール紙誘導部２２は、第１収納部２０の底部２０ａに第２収納部２１の底部２１ａを一段低く設けることにより、第１収納部２０内に設けられて第１ロール紙１６の両側面を位置規制する両側の側壁部２０ｂと、第２収納部２１内に設けられて第２ロール紙１７の両側面の下部を位置規制する両側の側壁部２１ｂとを形成することができ、第１、第２の各ロール紙１６、１７をその紙幅に応じて第１、第２の収納部２０、２１のいずれかに確実に誘導することができる。
【００５４】
すなわち、このロール紙誘導部２２では、紙幅の広い第１ロール紙１６を収納する第１収納部２０の底部２０ａに、紙幅の狭い第２ロール紙１７を収納する第２収納部２１を一段低く設けるだけで、簡単に製作することができると共に、ロール紙収納部１５に投入された第１、第２の各ロール紙１６、１７をその紙幅に応じて第１、第２の収納部２０、２１のいずれかに確実に誘導することができる。
【００５５】
従って、このロール紙誘導部２２によれば、第１ロール紙１６が第１収納部２０内に挿入された際に、第１ロール紙１６の両側面を第１収納部２０の両側の側壁部２０ｂによって確実に且つ良好に位置規制しながらガイドすることができるので、第１ロール紙１６を第１収納部２０内に確実に且つ良好に配置することができる。このため、第１ロール紙１６のセット作業が簡単で、且つ第１ロール紙１６の取り扱い性が良い。
【００５６】
また、このロール紙誘導部２２によれば、第２ロール紙１７が第２収納部２１内に挿入された際に、第２ロール紙１７の両側面を第２収納部２１の両側の側壁部２１ｂによって確実に且つ良好に位置規制しながらガイドすることができるので、第２ロール紙１７を第２収納部２１内に確実に且つ良好に配置することができる。このため、第２ロール紙１７のセット作業が簡単で、且つ第２ロール紙１７の取り扱い性が良い。
【００５７】
この場合、第１収納部２０の底部２０ａと第２収納部２１の底部２１ａとは、ほぼ円弧状に湾曲した凹曲面形状に形成されていることにより、第１ロール紙１６を第１収納部２０内に挿入するだけで、第１ロール紙１６を第１収納部２０内の所定位置に安定させた状態で確実に且つ良好に配置することができると共に、第２ロール紙１７を第２収納部２１内に挿入するだけで、第２ロール紙１７を第２収納部２１内の所定位置に安定させた状態で確実に且つ良好に配置することができる。
【００５８】
すなわち、第１ロール紙１６を第１収納部２０内に挿入すると、第１ロール紙１６が第１収納部２０の底部２０ａ上をそのほぼ円弧状の凹曲面形状に沿って転動し、この凹曲面形状の底部２０ａにおける最も低い位置に自然に配置されるので、第１ロール紙１６を第１収納部２０内に自然な状態で置くだけで、第１ロール紙１６を第１収納部２０内の所定位置に安定させた状態で確実に且つ良好に配置することができる。これによっても、第１ロール紙１６のセット作業が簡単で、且つ第１ロール紙１６の取り扱い性が良い。
【００５９】
同様に、第２ロール紙１７を第１収納部２０内の底部２０ａに設けられた第２収納部２１内に挿入すると、第２ロール紙１７が第２収納部２１の底部２１ａ上をそのほぼ円弧状の凹曲面形状に沿って転動し、この凹曲面形状の底部２１ａにおける最も低い位置に自然に配置されるので、第２ロール紙１７を第２収納部２１内に自然な状態で置くだけで、第２ロール紙１７を第２収納部２１内の所定位置に安定させた状態で確実に且つ良好に配置することができる。これによっても、第２ロール紙１７のセット作業が簡単で、且つ第２ロール紙１７の取り扱い性が良い。
【００６０】
この場合、第１収納部２０の底部２０ａにおける最も低い箇所と、第２収納部２１の底部２１ａにおける最も低い箇所とは、紙送り出し方向に沿って位置がずれた状態で設けられていることにより、第１、第２の各ロール紙１６、１７の各回転中心を第１、第２の各ロール紙１６、１７の各紙送り出し方向にずらすことができ、これにより特別な操作を必要とせずに、第１、第２の各ロール紙１６、１７を第１、第２の各収納部２０、２１内に自然に置くだけの簡単な操作で、第１、第２の各ロール紙１６、１７を第１、第２の各収納部２０、２１内の適正な位置に正確に且つ良好に位置規制することができる。
【００６１】
特に、第２収納部２１は、その底部２１ａが第１収納部２０の底部２０ａよりも低く形成された状態で、第２収納部２１の底部２１ａにおける最も低い位置が、第１収納部２０の底部２０ａにおける最も低い位置よりも、紙送り出し方向に沿ってずれた状態で設けられていることにより、第２ロール紙１７を収納する際に、この第２ロール紙１７を第１収納部２０内の底部２０ａに位置する第２収納部２１内に配置すると、第２収納部２１の両側の側壁部２１ｂによって第２ロール紙１７をその紙幅に応じて位置規制して良好に第２収納部２１内に収納することができる。
【００６２】
さらに、このロール紙収納構造によれば、第１収納部２０の底部２０ａに第１ロール紙１６をその紙送り出し方向に回転させるための第１回転ローラ２３が回転自在に設けられているので、第１ロール紙１６がプリンタ部１４に順次引き出されて印刷情報が印刷される際に、第１ロール紙１６を第１回転ローラ２３上において、この第１回転ローラ２３と共に回転させながら順次送り出すことができ、これにより第１ロール紙１６を円滑に且つ良好に第１収納部２０内から送り出すことができる。
【００６３】
また、第２収納部２１の底部２１ａには、第２ロール紙１７をその紙送り出し方向に回転させるための第２回転ローラ２４が回転自在に設けられているので、第２ロール紙１７がプリンタ部１４に順次引き出されて印刷情報が印刷される際に、第２ロール紙１７を第２回転ローラ２４上において、この第２回転ローラ２４と共に回転させながら順次送り出すことができ、これにより第１ロール紙１６の場合と同様、第２ロール紙１７を円滑に且つ良好に第２収納部２１内から送り出すことができる。
【００６４】
なお、上述した実施形態では、第２収納部２１が、第１収納部２０内の両側に位置する側壁部２０ｂ間の中間点を中心として、第１収納部２０の底部２０ａに設けられている場合について述べたが、これに限らず、例えば第１収納部２０内の一方の側壁部２０ｂと第２収納部２１内の一方の側壁部２１ｂとを一致させた状態で、第２収納部２１を第１収納部２０内の底部２０ａにその片側に偏らせた状態で設けても良い。
【００６５】
また、上述した実施形態では、第１、第２の各収納部２０、２１の各底部２０ａ、２１ａがほぼ円弧状に湾曲した凹曲面形状に形成されている場合について述べたが、必ずしもほぼ円弧状に湾曲した凹曲面形状に形成する必要はなく、例えば高さの異なる平坦面または傾斜面に形成しても良い。
【００６６】
また、上述した実施形態では、第１収納部２０の底部２０ａに第２収納部２１の底部２１ａを一段低く設けて、紙幅が異なる２種類のロール紙１６、１７を選択的に収納する２段階構造である場合について述べたが、これに限らず、例えば第１収納部の底部に第２収納部の底部を一段低く設け、この第２収納部の底部に第３収納部の底部を更に一段低く設け、紙幅の異なる３種類のロール紙を選択的に収納する３段階構造にしても良い。
【００６７】
さらに、上述した実施形態では、電子レジスタに適用した場合について述べたが、必ずしも電子レジスタである必要はなく、例えば携帯情報端末機やコピー機など、プリンタを備えた電子機器に広く適用することができる。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、機器本体内に紙幅の異なる複数のロール紙のいずれかを選択的に収納するロール紙収納構造において、
第１の紙幅を有する第１ロール紙をその紙幅に応じて収納する第１収納部と、前記第１の紙幅よりも小さい第２の紙幅を有する第２ロール紙をその紙幅に応じて収納する第２収納部と、前記第１収納部の底部に前記第２収納部の底部を一段低く設けることにより、投入された前記第１、第２の各ロール紙をその紙幅に応じて前記第１、第２の収納部のいずれかに誘導するロール紙誘導部と、を備えていることを特徴とするロール紙収納構造である。
【００７０】
請求項２に記載の発明は、請求項１に記載のロール紙収納構造において、前記ロール紙誘導部は、前記第１収納部内に設けられて前記第１ロール紙の両側面を位置規制する両側の側壁部と、前記第２収納部内に設けられて前記第２ロール紙の両側面の下部を位置規制する両側の側壁部とを備えていることを特徴とするロール紙収納構造である。
【００７１】
請求項３に記載の発明は、請求項１または請求項２に記載のロール紙収納構造において、前記第１収納部の前記底部と前記第２収納部の前記底部とは、ほぼ円弧状に湾曲した凹曲面形状に形成されていることを特徴とするロール紙収納構造である。
【００７２】
請求項４に記載の発明は、請求項１〜請求項３のいずれかに記載のロール紙収納構造において、前記第１収納部の前記底部における最も低い箇所と、前記第２収納部の前記底部における最も低い箇所とは、紙送り出し方向に沿って位置がずれた状態で設けられていることを特徴とするロール紙収納構造である。
【００７３】
請求項５に記載の発明は、請求項１〜請求項４のいずれかに記載のロール紙収納構造において、前記第１収納部の前記底部には、前記第１ロール紙をその紙送り出し方向に回転させるための第１回転ローラが回転自在に設けられており、前記第２収納部の前記底部には、前記第２ロール紙をその紙送り出し方向に回転させるための第２回転ローラが回転自在に設けられていることを特徴とするロール紙収納構造である。
【符号の説明】
【００７４】
１  機器本体
３  プリンタユニット
１３  プリンタカバー
１３ａ  記録紙排出口
１４  プリンタ部
１４ａ  印字部
１４ｂ  プラテン部
１５  ロール紙収納部
１６  第１ロール紙
１７  第２ロール紙
２０  第１収納部
２０ａ  第１収納部の底部
２０ｂ  第１収納部の側壁部
２１  第２収納部
２１ａ  第２収納部の底部
２１ｂ  第２収納部の側壁部
２２  ロール紙誘導部
２３  第１回転ローラ
２４  第２回転ローラ
【図１】
2013010619.tif 000003
【図２】
2013010619.tif 000004
【図３】
2013010619.tif 000005
【図４】
2013010619.tif 000006
【図５】
2013010619.tif 000007
【図６】
2013010619.tif 000008
【図７】
2013010619.tif 000009
【図８】
2013010619.tif 000010
【図９】
2013010619.tif 000011
【図１０】
2013010619.tif 000012
【図１１】
2013010619.tif 000013
【手続補正書】
【提出日】平成24年5月30日(2012.5.30)
【手続補正２】
【補正対象書類名】明細書
【補正対象項目名】０００１
【補正方法】変更
【補正の内容】
【０００１】
この発明は、電子機器に関する。
【手続補正３】
【補正対象書類名】明細書
【補正対象項目名】０００７
【補正方法】変更
【補正の内容】
【０００７】
この発明が解決しようとする課題は、簡単な構造で、電子機器の部品点数を少なくし、低コスト化を図ることができるようにすることである。
【手続補正４】
【補正対象書類名】明細書
【補正対象項目名】０００８
【補正方法】変更
【補正の内容】
【０００８】
この発明は、プリンタを備えると共に、機器本体内に紙幅の異なる複数のロール紙のいずれかを選択的に収納する電子機器において、第１の紙幅を有する第１ロール紙をその紙幅に応じて収納する第１収納部と、前記第１の紙幅よりも小さい第２の紙幅を有する第２ロール紙をその紙幅に応じて収納する第２収納部と、前記第１収納部の底部に前記第２収納部の底部を、前記第１収納部の底部より一段低く設けることにより、投入された前記第１、第２の各ロール紙をその紙幅に応じて前記第１、第２の収納部のいずれかに誘導するロール紙誘導部と、を備えていることを特徴とする。
【手続補正５】
【補正対象書類名】特許請求の範囲
【補正対象項目名】全文
【補正方法】変更
【補正の内容】
【特許請求の範囲】
【請求項１】
プリンタを備えると共に、機器本体内に紙幅の異なる複数のロール紙のいずれかを選択的に収納する電子機器において、
第１の紙幅を有する第１ロール紙をその紙幅に応じて収納する第１収納部と、
前記第１の紙幅よりも小さい第２の紙幅を有する第２ロール紙をその紙幅に応じて収納する第２収納部と、
前記第１収納部の底部に前記第２収納部の底部を、前記第１収納部の底部より一段低く設けることにより、投入された前記第１、第２の各ロール紙をその紙幅に応じて前記第１、第２の収納部のいずれかに誘導するロール紙誘導部と、
を備えていることを特徴とする電子機器。
【請求項２】
請求項１に記載の電子機器において、前記ロール紙誘導部は、前記第１収納部内に設けられて前記第１ロール紙の両側面を位置規制する両側の側壁部と、前記第２収納部内に設けられて前記第２ロール紙の両側面の下部を位置規制する両側の側壁部とを備えていることを特徴とする電子機器。
【請求項３】
請求項１に記載の電子機器において、前記第１収納部の前記底部と前記第２収納部の前記底部とは、ほぼ円弧状に湾曲した凹曲面形状に形成されていることを特徴とする電子機器。
【請求項４】
請求項１に記載の電子機器において、前記第１収納部の前記底部における最も低い箇所と、前記第２収納部の前記底部における最も低い箇所とは、紙送り出し方向に沿って位置がずれた状態で設けられていることを特徴とする電子機器。
【請求項５】
請求項１に記載の電子機器において、前記第１収納部の前記底部には、前記第１ロール紙をその紙送り出し方向に回転させるための第１回転ローラが回転自在に設けられており、前記第２収納部の前記底部には、前記第２ロール紙をその紙送り出し方向に回転させるための第２回転ローラが回転自在に設けられていることを特徴とする電子機器。